(57)【要約】【課題】十分な駆動力を維持しつつ、レンズ駆動装置を小型化する。【解決手段】ボイスコイル型のレンズ駆動装置において、レンズホルダ１２の外周側に装着された駆動用コイル１３に放射状に分布する磁界を印加する磁界発生手段１４を、円弧状の第１の永久磁石１４とその周長が上記第１の永久磁石１４ｍの周長よりも短い平板状の第２の永久磁石１４ｍとをそれぞれ４個ずつ光軸に対して対称に配置した構成とするとともに、ヨーク１５の形状を第１の永久磁石１４ｍを組み付ける箇所が円弧状で、第２の永久磁石１４ｎを組み付ける箇所が平板状とした。【選択図】図２
2008122705.tif 000002
【特許請求の範囲】
【請求項１】
レンズを保持するホルダと、このホルダの外周側に装着された駆動用コイルと、上記ホルダの外側に配置された固定部材と、上記ホルダと上記固定部材とを連結するバネ部材と、上記固定部材側に設けられたヨークの内壁側に組みつけられる、複数の永久磁石から成る磁界発生手段とを備えたレンズ駆動装置であって、上記磁界発生手段は円弧状の第１の永久磁石と、少なくとも外周側が平板状で、その周長が上記第１の永久磁石の周長よりも短い第２の永久磁石とを備えていることを特徴とするレンズ駆動装置。
【請求項２】
上記ヨークは、第１の永久磁石を組み付ける箇所が円弧状で、第２の永久磁石を組み付ける箇所が平板状になっていることを特徴とする請求項１に記載のレンズ駆動装置。
【請求項３】
上記第１の永久磁石と第２の永久磁石とをそれぞれ光軸に対して軸対称に配置したことを特徴とする請求項１または請求項２に記載のレンズ駆動装置。
【請求項４】
上記第２の永久磁石を２個もしくは４個配設するとともに、上記第２の永久磁石の間に上記第１の永久磁石を配置したことを特徴とする請求項３に記載のレンズ駆動装置。
【発明の詳細な説明】
【技術分野】
【０００１】
本発明は、カメラ等に用いられる、ボイスコイルモータを用いたレンズ駆動装置に関するものである。
【背景技術】
【０００２】
近年、携帯電話等に搭載されるカメラは画素数が増大されるとともに、ズーム処理やマクロ処理等の高機能化が進んでいることから、搭載されるレンズ系についても、従来の固定焦点のものだけでなく、可動焦点のものも投入されてきている。この可動焦点のレンズ系の駆動方式としては、図６に示すような、ボイスコイルモータを用いたレンズ駆動装置５０が多く用いられている（例えば、特許文献１参照）。
このレンズ駆動装置５０は、軟鉄等の磁性体から成るヨーク５１と、上記ヨーク５１の内壁側に取付けられる永久磁石５２と、中央位置にレンズ５３を保持するレンズホルダ５４と、このレンズホルダ５４に装着される駆動用コイル５５と、上記ヨーク５１が装着されるベース５６と、上記ベース５６を支持する下部ケース５７Ａと、上部ケース５７Ｂと、上記レンズホルダ５４を上記上下のケース５７Ａ，５７Ｂに対して弾性支持する上下のバネ部材５８Ａ，５８Ｂとを備えている。
上記永久磁石５２としては、円筒状の磁石、あるいは、図７（ａ），（ｂ）に示すように、複数の円弧状の永久磁石片５２ｍを、円筒状のヨーク５１の内壁側に環状に配列したものが用いられていおり、上記駆動用コイル５５は、上記ヨーク５１と上記永久磁石５２とにより印加される、コイル周りに放射状に分布する磁界中に設置されているので、上記駆動用コイル５５に通電すると、上記駆動用コイル５５には、被写体の方向(上方)へ向けたローレンツ力が発生して、上記レンズホルダ５４を上記バネ部材５８Ａ，５８Ｂの復元力と釣り合って位置に移動させることができる。したがって、上記駆動用コイル５５に通電する電流値を制御することにより、上記レンズホルダ５４の移動量を制御して、上記レンズ５３の位置を制御することができる。
【特許文献１】特開２００４−２８００３１号公報
【発明の開示】
【発明が解決しようとする課題】
【０００３】
近年、カメラ等の小型化に伴い、レンズ駆動装置の小型化が進展している。上記従来のレンズ駆動装置５０において小型化を実現するためには、装置の大きさを規定する上下のケース５７Ａ，５７Ｂの外形寸法を小さくする必要があるが、そのためには、上記ヨーク５１及び永久磁石５２の外径を小さくしなければならない。
しかしながら、ヨーク５１及び永久磁石５２の外径を小さくして小型化を図ろうとすると、各永久磁石片５２ｍの厚みを薄くせざるを得ず、このため、永久磁石５２の印加する磁界の大きさが減少して、十分な駆動力が得られないといった問題点がある。
【０００４】
本発明は、従来の問題点に鑑みてなされたもので、十分な駆動力を維持しつつ、レンズ駆動装置を小型化することを目的とする。
【課題を解決するための手段】
【０００５】
本発明の請求項１に記載の発明は、レンズを保持するホルダと、このホルダの外周側に装着された駆動用コイルと、上記ホルダの外側に配置された固定部材と、上記ホルダと上記固定部材とを連結するバネ部材と、上記固定部材側に設けられたヨークの内壁側に組みつけられる、複数の永久磁石から成る磁界発生手段とを備えたレンズ駆動装置であって、上記磁界発生手段は円弧状の第１の永久磁石と、少なくとも外周側が平板状で、その周長が上記第１の永久磁石の周長よりも短い第２の永久磁石とを備えていることを特徴とするものである。
請求項２に記載の発明は、請求項１に記載のレンズ駆動装置において、上記ヨークとして、第１の永久磁石を組み付ける箇所が円弧状で、第２の永久磁石を組み付ける箇所が平板状になっているヨークを用いたものである。
請求項３に記載の発明は、請求項１または請求項２に記載のレンズ駆動装置において、上記第１の永久磁石と第２の永久磁石とをそれぞれ光軸に対して軸対称に配置したものである。
また、請求項４に記載の発明は、請求項３に記載のレンズ駆動装置において、上記第２の永久磁石を２個もしくは４個配設するとともに、上記第２の永久磁石の間に上記第１の永久磁石を配置したことを特徴とするものである。
【発明の効果】
【０００６】
本発明によれば、ボイスコイル型のレンズ駆動装置において、レンズを保持するホルダの外周側に装着された駆動用コイルに放射状に分布する磁界を印加する磁界発生手段を、円弧状の第１の永久磁石と、少なくとも外周側が平板状で、その周長が上記第１の永久磁石の周長よりも短い第２の永久磁石とから構成したので、装置を小型化することができるとともに、満足する駆動力を得ることができる。このとき、上記各永久磁石を取付けるヨークの形状としては、第１の永久磁石を組み付ける箇所が円弧状で、第２の永久磁石を組み付ける箇所が平板状になっているヨークを用いることが好ましい。
また、上記第１の永久磁石と第２の永久磁石とをそれぞれ光軸に対して軸対称に配置するようにすれば、駆動用コイルに略均一な磁界を印加することができる。
また、固定部材の外形が矩形の場合には、上記第２の永久磁石を２個もしくは４個配設するとともに、上記第２の永久磁石の間に上記第１の永久磁石を配置すれば、十分な駆動力を維持しつつ、装置を小型化することができる。
【発明を実施するための最良の形態】
【０００７】
以下、本発明の最良の形態について、図面に基づき説明する。
図１は、本発明の最良の形態に係るレンズ駆動装置１０の構成を示す模式図である。同図において、１１はレンズ、１２はこのレンズ１１を保持するレンズホルダ、１３は上記レンズホルダに装着される環状の駆動用コイル、１４は上記駆動用コイル１３に放射状に分布する磁界を印加するための磁界発生手段、１５はヨーク、１６Ａ，１６Ｂは上記レンズホルダ１２を固定部材である上部ケース１７Ａと下部ケース１７Ｂとに弾性支持する上，下の板バネで、上側の板バネ１６Ａは上記上部ケース１７Ａとスペーサ１８との間に挟持され、下側の板バネ１６Ｂは、上記磁界発生手段１４及びヨーク１５を支持するベース１９と上記下側ケース１７Ｂとの間に挟持されている。
磁界発生手段１４は、図２（ａ），（ｂ）に示すように、ヨーク１５と接する側（外周側）と駆動用コイル１３に対向する側（内周側）がともに円弧状である第１の永久磁石１４ｍと、その周長が上記第１の永久磁石１４ｍの周長よりも短い平板状の第２の永久磁石１４ｎとをそれぞれ４個ずつ備えており、これらの永久磁石１４ｍ，１４ｎを上記ヨーク１５の内壁側に環状に配列したもので、詳細には、第２の永久磁石１４ｎを光軸に対して４回対称に配置し、これら第２の永久磁石１４ｎの間に上記第１の永久磁石１４ｍが光軸に対して軸対称に配置される。また、本例のヨーク１５は、第１の永久磁石１４ｍを組み付ける箇所が円弧状で、第２の永久磁石１４ｎを組み付ける箇所が平板状となっている。
【０００８】
図３（ａ），（ｂ）は、本発明のレンズ駆動装置１０と従来のレンズ駆動装置５０とを比較した分解斜視図で、磁界発生手段１４とヨーク１５とを、上記のように構成することにより、レンズ駆動装置１０の外形寸法である上部ケース１７Ａと下部ケース１７Ｂの外形寸法を従来の上下のケース５７Ａ，５７Ｂよりも小さくすることができる。
また、本発明による磁界発生手段１４の第１の永久磁石１４ｍの外周側及び内周側の円弧の大きさは、図７（ａ），（ｂ）に示した従来の円弧状の永久磁石片５２ｍと同じであり、これら第１の永久磁石１４ｍの間に配置された第２の永久磁石１４ｎは平板状かつその周長が上記第１の永久磁石１４ｍの周長よりも短いので、これら環状に配置された第１及び第２の永久磁石１４ｍ，１４ｎの作る磁界は、従来の円弧状の永久磁石片５２ｍを環状に配置した場合に比べて、第２の永久磁石１４ｎの内周面が駆動用コイル１３に近い分いくらか大きくなっている。
このように、本例のレンズ駆動装置１０では外形寸法が従来よりも小さくなっているにも関わらず、駆動用コイル１３に印加する磁界の大きさは従来以上であるので、十分な駆動力を維持しつつ、装置を小型化することができることが分かる。
【０００９】
このように本最良の形態によれば、レンズホルダ１２の外周側に装着された駆動用コイル１３に放射状に分布する磁界を印加する磁界発生手段１４を、円弧状の第１の永久磁石１４ｍとその周長が上記第１の永久磁石１４ｍの周長よりも短い平板状の第２の永久磁石１４ｎとをそれぞれ４個ずつ光軸に対して対称に配置した構成とするとともに、ヨーク１５の形状を第１の永久磁石１４ｍを組み付ける箇所が円弧状で、第２の永久磁石１４ｎを組み付ける箇所が平板状としたので、十分な駆動力を維持しつつ、レンズ駆動装置１０の外形寸法である上部ケース１７Ａと下部ケース１７Ｂの外形寸法を従来よりも小さくすることができる。
【００１０】
なお、上記最良の形態では、第２の永久磁石１４ｎを平板状としたが、図４（ａ），（ｂ）に示すように、上記第２の永久磁石１４ｎに代えて、外周側が平板状で外周側で内周側が円弧状である第２の永久磁石１４ｋを配置しても同様の効果を得ることができる。
また、上記例では、上記第１及び第２の永久磁石１４ｍ，１４ｎをそれぞれ４個配設したが、これに限るものではなく、図５（ａ），（ｂ）に示すように、第１の永久磁石１４ｍを４個配設し、第２の永久磁石１４ｎを２個配設した構成とするなど、上記第１及び第２の永久磁石１４ｍ，１４ｎの個数を増減させてもよい。このように、第２の永久磁石１４ｎ増減させることにより、駆動力を制御することができる。
なお、発生磁界を均一にするためには、いずれの場合にも、第１及び第２の永久磁石１４ｎを光軸に対して軸対称に配置することが好ましい。
なお、第２の永久磁石１４ｎの数が多いほど永久磁石１４ｍ，１４ｎの配列形状は円に近くなるので、装置を小型化するためには、本例のように第２の永久磁石１４ｎを４個配設するか、図４に示すように、２個配置した構成が望ましい。
【産業上の利用可能性】
【００１１】
以上説明したように、本発明によれば、十分な駆動力を維持しつつ、レンズ駆動装置を小型化することができるので、小型高性能のレンズ駆動装置を提供することができる。
【図面の簡単な説明】
【００１２】
【図１】本発明の最良の形態に係るレンズ駆動装置の構成を示す模式図である。
【図２】本発明による磁界発生手段とヨークの構成を示す図である。
【図３】本発明のレンズ駆動装置と従来のレンズ駆動装置を比較した図である。
【図４】本発明による磁界発生手段とヨークの構成の他の構成を示す図である。
【図５】本発明による磁界発生手段とヨークの構成の他の構成を示す図である。
【図６】従来のレンズ駆動装置の構成を示す図である。
【図７】従来のレンズ駆動装置の磁界発生手段とヨークの構成を示す図である。
【符号の説明】
【００１３】
１０  レンズ駆動装置、１１  レンズ、１２  レンズホルダ、１３  駆動用コイル、
１４  磁界発生手段、１４ｍ  第１の永久磁石、１４ｎ，１４ｋ  第２の永久磁石、
１５  ヨーク、１６Ａ，１６Ｂ  板バネ、１７Ａ，１７Ｂ  ケース、１８  スペーサ、
１９  ベース。
【図１】
2008122705.tif 000003
【図２】
2008122705.tif 000004
【図３】
2008122705.tif 000005
【図４】
2008122705.tif 000006
【図５】
2008122705.tif 000007
【図６】
2008122705.tif 000008
【図７】
2008122705.tif 000009